(57)【要約】【課題】  電磁カウンタのリセットを迅速かつ容易に行う。【解決手段】  避雷器の接地線８に流れるサージ電流を変流器２で検出し、そのサージ電流に基づく避雷器の動作回数を計数して積算する電磁カウンタ９を筐体１に内蔵させたサージカウンタであって、３桁以上の表示値を持つ電磁カウンタ９の下２桁の表示値のみが目視可能な大きさを有する円形の開口窓１３を、筐体１の電磁カウンタ９と対応する部位に形成する。【選択図】    図１
2011187219.tif 000002
【特許請求の範囲】
【請求項１】
避雷器の接地線に流れるサージ電流を変流器で検出し、そのサージ電流に基づく避雷器の動作回数を計数して積算する電磁カウンタを筐体に内蔵させたサージカウンタであって、３桁以上の表示値を持つ前記電磁カウンタの下２桁の表示値のみが目視可能な大きさを有する開口窓を、前記筐体の電磁カウンタと対応する部位に形成したことを特徴とするサージカウンタ。
【請求項２】
前記電磁カウンタと並置して２桁の表示値を持つロータリスイッチを筐体に配設した請求項１に記載のサージカウンタ。
【請求項３】
前記電磁カウンタの動作電圧が入力されるテスト電圧入力端子を前記筐体に配設した請求項１又は２に記載のサージカウンタ。
【発明の詳細な説明】
【技術分野】
【０００１】
本発明は、雷撃などによる避雷器の動作時に流れるサージ電流によって動作し、その避雷器の動作回数を計数して積算するサージカウンタに関する。
【背景技術】
【０００２】
高圧配電線の耐雷設備、一般的に、高圧配電線に設けられた碍子付近への落雷時、雷サージ等による異常電圧が発生した際、高圧配電線の周辺機器を雷サージ等から保護するため、高圧配電線の耐雷設備として、高圧配電線と大地との間に避雷器を取り付けている。
【０００３】
この避雷器の効果を評価するためには雷撃の頻度（避雷器の動作回数）を定量的に把握する必要があることから、雷撃による避雷器の動作時に流れるサージ電流によって動作し、その避雷器の動作回数を計数して積算するサージカウンタを設置するようにしている。
【０００４】
この種のサージカウンタとしては、従来、雷撃による避雷器の動作時に流れるサージ電流によって動作し、その避雷器の動作回数を計数して積算する電磁カウンタが使用されているものがある（例えば、特許文献１参照）。
【先行技術文献】
【特許文献】
【０００５】
【特許文献１】特許第２５２９２４９号公報
【発明の概要】
【発明が解決しようとする課題】
【０００６】
ところで、特許文献１に開示されたサージカウンタを製作するに際しては、工場出荷前に電磁カウンタが正常に動作するか否かを確認するため、動作試験を行うことが一般的である。このサージカウンタの動作試験では、電磁カウンタの動作電圧を印加することにより、電磁カウンタが正常に動作してその動作回数を計数するか否かを確認するようにしている。また、このような電磁カウンタを使用して動作試験を行った後、その出荷時には、電磁カウンタの表示値をリセットする必要がある。
【０００７】
しかしながら、一般的に市販されている電磁カウンタは６桁の数値を表示するものが多く、また、この種のサージカウンタで使用される電磁カウンタは自動リセット機能がないため、電磁カウンタを動作させて最大９９９９９９回の動作回数を計数させることになる。このため、サージカウンタの動作試験による電磁カウンタの動作電圧印加を最大９９９９９９回繰り返すことになることから、電磁カウンタをリセットするために時間と労力を要するという課題があった。
【０００８】
そこで、本発明は前述の課題に鑑みて提案されたもので、その目的とするところは、電磁カウンタのリセットを迅速かつ容易に行い得るサージカウンタを提供することにある。
【課題を解決するための手段】
【０００９】
前述の目的を達成するための技術的手段として、本発明は、避雷器の接地線に流れるサージ電流を変流器で検出し、そのサージ電流に基づく避雷器の動作回数を計数して積算する電磁カウンタを筐体に内蔵させたサージカウンタであって、３桁以上の表示値を持つ電磁カウンタの下２桁の表示値のみが目視可能な大きさを有する開口窓を筐体の電磁カウンタと対応する部位に形成したことを特徴とする。
【００１０】
本発明では、３桁以上の表示値を持つ電磁カウンタの下２桁の表示値のみが目視可能な大きさを有する開口窓を、筐体の電磁カウンタと対応する部位に形成したことにより、電磁カウンタのリセット時、サージカウンタの動作試験による電磁カウンタの動作電圧印加を最大でも９９回繰り返すだけで表示値を０へ復帰させることができるため、電磁カウンタをリセットするために時間や労力を要することはない。
【００１１】
本発明において、電磁カウンタと並置して２桁の表示値を持つロータリスイッチを筐体に配設することが望ましい。このようにすれば、サージカウンタの点検時にロータリスイッチを電磁カウンタと同じ表示値にセットしておけば、次の点検時にこのロータリスイッチの表示値と電磁カウンタの表示値とを比較することにより、前回の点検時から今回の点検時までにおける電磁カウンタの表示値の増加分を判定することができる。
【００１２】
本発明において、電磁カウンタの動作電圧が入力されるテスト電圧入力端子を筐体に配設することが望ましい。このようにすれば、テスト電圧入力端子から電磁カウンタの動作電圧を入力することで電磁カウンタのリセットを容易に行うことができる。
【発明の効果】
【００１３】
本発明によれば、３桁以上の表示値を持つ電磁カウンタの下２桁の表示値のみが目視可能な大きさを有する開口窓を、筐体の電磁カウンタと対応する部位に形成したことにより、電磁カウンタのリセット時、サージカウンタの動作試験による電磁カウンタの動作電圧印加を最大でも９９回繰り返すだけで表示値を０へ復帰させることができるため、電磁カウンタをリセットするために時間や労力を要することはない。その結果、電磁カウンタのリセットを迅速かつ容易に行うことができ、製品出荷時での迅速な対応が可能となる。
【図面の簡単な説明】
【００１４】
【図１】本発明に係るサージカウンタの実施形態で、サージカウンタおよび変流器の外観を示す正面図である。
【図２】図１のサージカウンタの前面を示す拡大正面図である。
【発明を実施するための形態】
【００１５】
本発明に係るサージカウンタの実施形態を以下に詳述する。なお、図１はサージカウンタおよび変流器の外観を示す正面図、図２は図１のサージカウンタの前面を示す拡大正面図である。
【００１６】
この実施形態におけるサージカウンタは、図１に示すように、樹脂製の筐体１の上部に、変流器２が接続されてサージ電流が入力される入力端子３，４が設けられ、その筐体１の下部に、ランプやブザー（図示せず）が接続されて警報信号が出力される接点出力端子５〜７が設けられている。また、この筐体１の前面には、図２に示すように、避雷器の接地線８（図１参照）に流れるサージ電流に基づく避雷器の動作回数を計数して積算する電磁カウンタ９、その電磁カウンタ９による動作回数を記録するためのロータリスイッチ１０、および電磁カウンタ９をテスト動作させるためにテスト電圧（電磁カウンタ９の動作電圧）が入力されるテスト電圧入力端子１１，１２がそれぞれ配設されている。
【００１７】
前述した接点出力端子５〜７には、筐体１に内蔵された接点出力用リレー（図示せず）が接続されている。避雷器の接地線８にサージ電流が流れると、サージ電流の回数を電磁カウンタ９で計数して避雷器の動作回数を積算すると同時に、接点出力用リレーを作動させることでランプやブザー等のための警報信号を接点出力端子５〜７から出力させるようにしている。
【００１８】
サージカウンタを製作するに際しては、工場出荷前に電磁カウンタ９が正常に動作するか否かを確認するため、動作試験を行うことが一般的である。このサージカウンタの動作試験では、テスト電圧入力端子１１，１２からテスト電圧（電磁カウンタ９の動作電圧）を入力することにより、電磁カウンタ９が正常に動作してその動作回数を計数するか否かを確認するようにしている。また、このような電磁カウンタ９を使用して動作試験を行った後、その出荷時には、電磁カウンタ９の表示値をリセットする必要がある。
【００１９】
ここで、一般的に市販されている電磁カウンタ９は６桁の数値を表示するものが多く、また、この種のサージカウンタで使用される電磁カウンタ９は自動リセット機能がないため、電磁カウンタ９を動作させて最大９９９９９９回の動作回数を計数させることになるため、サージカウンタの動作試験による電磁カウンタ９の動作電圧印加を最大９９９９９９回繰り返すことになることから、電磁カウンタ９をリセットするために時間と労力を要することになる。
【００２０】
そこで、この実施形態のサージカウンタでは、６桁の表示値を持つ電磁カウンタ９の下２桁の表示値のみが目視可能な大きさを有する円形の開口窓１３を筐体１の電磁カウンタ９と対応する部位に形成している。つまり、図１および図２の破線で示すように、電磁カウンタ９の上４桁の表示値を筐体１で被覆して目視できないようにしている。なお、この実施形態の開口窓１３は円形をなすが、その形状については任意である。
【００２１】
このように、６桁の表示値を持つ電磁カウンタ９の下２桁の表示値のみが目視可能な大きさを有する開口窓１３を、筐体１の電磁カウンタ９と対応する部位に形成したことにより、電磁カウンタ９のリセット時、サージカウンタの動作試験による電磁カウンタ９の動作電圧印加を最大でも９９回繰り返すだけで表示値を０へ復帰させることができるため、電磁カウンタ９をリセットするために時間や労力を要することはない。また、電磁カウンタ９の動作電圧が入力されるテスト電圧入力端子１１，１２を利用することにより、電磁カウンタ９のリセットを容易に行うことができる。
【００２２】
この電磁カウンタ９の表示値の桁数（２桁）に合わせて、２桁の表示値を持つロータリスイッチ１０を電磁カウンタ９と並置して筐体１に配設している。このサージカウンタの点検時、ロータリスイッチ１０を電磁カウンタ９が表示する動作回数と同じ表示値にセットしておけば、次の点検時にこのロータリスイッチ１０の表示値と電磁カウンタ９の表示値とを比較することにより、前回の点検時から今回の点検時までに避雷器が何回動作したかを判定することができる。
【００２３】
このようにして、電磁カウンタ９の表示値の桁数（２桁）に合わせて、２桁の表示値を持つロータリスイッチ１０を電磁カウンタ９と並置したことにより、前回の点検時から今回の点検時までにおける電磁カウンタ９の表示値の増加分を判定することができる。
【００２４】
一方、筐体１の上部に設けられた入力端子３，４にリード線１４で接続可能となっている変流器２は、避雷器から延びる既設の接地線８にワンタッチで装着可能な分割形としている。つまり、この変流器２は、接地線８が貫通する孔１４を有し、器体下部１５に対して器体上部１６を開閉可能にヒンジで枢着した構造を具備する。
【００２５】
このように、器体下部１５に対して器体上部１６をヒンジを支点として開放することで、避雷器から延びる既設の接地線８に対して取り付け工事を実施することなく、変流器２を接地線８にワンタッチで装着することができるので、サージカウンタの設置作業を迅速かつ容易に行うことができる。
【００２６】
このサージカウンタでは、前述のようにして避雷器の接地線８に変流器２を取り付けた状態で、雷撃により避雷器の接地線８にサージ電流が流れると、そのサージ電流を変流器２で検出し、そのサージ電流の回数を電磁カウンタ９で計数して避雷器の動作回数を積算する。なお、接点出力端子５〜７にランプやブザー等の警報手段を接続しておけば、電磁カウンタ９による動作回数の計数と共に、避雷器が動作したことをランプやブザーで報知することが可能となっている。
【００２７】
本発明は前述した実施形態に何ら限定されるものではなく、本発明の要旨を逸脱しない範囲内において、さらに種々なる形態で実施し得ることは勿論のことであり、本発明の範囲は、特許請求の範囲によって示され、さらに特許請求の範囲に記載の均等の意味、および範囲内のすべての変更を含む。
【符号の説明】
【００２８】
１  筐体
２  変流器
８  接地線
９  電磁カウンタ
１０  ロータリスイッチ
１１，１２  テスト電圧入力端子
１３  開口窓
【図１】
2011187219.tif 000003
【図２】
2011187219.tif 000004